(57)【要約】【課題】  高速回転する回転多面鏡を音源とする騒音が外部に漏出する事を防止する遮音性能の高い光走査装置を提供する。【解決手段】  光走査装置であって、投射された光ビームを反射する、回転可能な回転多面鏡２１を有する光偏向器２０と、回転多面鏡２１の光反射面で反射した光ビームＬを透過させるｆθレンズ１２と、ｆθレンズ１２を透過した光ビームＬを透過させるシリンドリカルレンズ１３と、ｆθレンズ１２を透過した光ビームＬを通過可能にする開口部３４Ａを有するｆθレンズ用遮音ケース３４と、を有し、ｆθレンズ用遮音ケース３４の開口部３４Ａをｆθレンズ１２により密閉状態に保持し、光偏向器２０を密閉状態に収容した光走査装置。【選択図】        図３
2006018215.tif 000002
【特許請求の範囲】
【請求項１】
光走査装置であって、
投射された光ビームを反射する、回転可能な回転多面鏡を有する光偏向器と、
前記回転多面鏡の光反射面で反射した光ビームを透過させるｆθレンズと、
前記ｆθレンズを透過した光ビームを透過させるシリンドリカルレンズと、
前記ｆθレンズを透過した光ビームを通過可能にする開口部を有するｆθレンズ用遮音ケースと、を有し、
前記ｆθレンズ用遮音ケースの開口部を前記ｆθレンズにより密閉状態に保持し、前記光偏向器を密閉状態に収容したことを特徴とする光走査装置。
【請求項２】
請求項１の光走査装置で、前記光偏向器を透明な防音部材で開口部を密閉した保護ケース内に収容したことを特徴とする光走査装置。
【請求項３】
請求項１の光走査装置で、感光体を有し、前記光ビームを走査することにより前記感光体上に画像を形成することを特徴とする光走査装置。
【請求項４】
請求項１の光走査装置で、前記光偏向器、前記ｆθレンズ、及び前記シリンドリカルレンズを取り囲む全体遮音ケースを有することを特徴とする光走査装置。
【請求項５】
光走査装置であって、
投射された光ビームを反射し、回転可能な回転多面鏡を有する偏向器と、
前記回転多面鏡の光反射面で反射した光ビームを透過させるｆθレンズと、
前記ｆθレンズを透過する光ビームを透過させるシリンドリカルレンズと、
前記ｆθレンズを透過する光ビームを通過可能にする開口部を有するｆθレンズ用遮音ケースと、
前記シリンドリカルレンズを透過する光ビームを通過可能にする開口部を有するシリンドリカルレンズ用遮音ケースと、を有し、
前記ｆθレンズ用遮音ケースの開口部を前記ｆθレンズにより密閉状態に保持し、前記第２の遮音ケースの開口部を前記シリンドリカルレンズにより密閉状態に保持し、前記光偏向器を２重の密閉状態に収容したことを特徴とする光走査装置。
【請求項６】
請求項５の光走査装置で、前記光偏向器を透明な防音部材で開口部を密閉した保護ケース内に収容したことを特徴とする光走査装置。
【請求項７】
請求項５の光走査装置で、前記光偏向器、前記ｆθレンズ、及び前記シリンドリカルレンズを取り囲む全体遮音ケースを有することを特徴とする光走査装置。
【請求項８】
請求項５の光走査装置で、感光体を有し、前記光ビームを走査することにより前記感光体上に画像を形成することを特徴とする光走査装置。
【請求項９】
光走査装置であって、
投射された光ビームを反射する、回転可能な回転多面鏡を有する偏向器と、
前記回転多面鏡の光反射面で反射した光ビームを透過させるｆθレンズと、
前記ｆθレンズを透過した光ビームを透過させるシリンドリカルレンズと、
前記光学系を透過する光ビームを通過可能にする開口部を有するシリンドリカルレンズ用遮音ケースと、を有し、
前記シリンドリカルレンズ用遮音ケースの開口部を前記シリンドリカルレンズにより密閉状態に保持し、前記光偏向器を密閉状態に収容したことを特徴とする光走査装置。
【請求項１０】
請求項９の光走査装置で、前記光偏向器を透明な防音部材で開口部を密閉した保護ケース内に収容したことを特徴とする光走査装置。
【請求項１１】
請求項９の光走査装置で、前記光偏向器、前記ｆθレンズ、及び前記シリンドリカルレンズを取り囲む全体遮音ケースを有することを特徴とする光走査装置。
【請求項１２】
請求項９の光走査装置で、感光体を有し、前記光ビームを走査することにより前記感光体上に画像を形成することを特徴とする光走査装置。
【発明の詳細な説明】
【技術分野】
【０００１】
本発明は、レーザビームプリンタ、レーザ複写機、レーザファクシミリ等の画像形成装置等に用いられる光走査装置に関するものである。
【背景技術】
【０００２】
レーザビームプリンタ等の画像形成装置においては、その画像の書き込み手段として読み取った情報を基にレーザ光を等速回転する回転多面鏡に入光させ、反射光を走査させて感光体面に投影し画像記録を行っている。
【０００３】
回転多面鏡は低速回転の場合には、駆動モータの回転軸に直接固定して使用されるが、高速回転となると回転多面鏡を外筒部材に固定し、固定配置された内筒部材に対して触れることなく浮き上がった形で回転する空気動圧軸受（エアベアリング）を用いての駆動回転が行われる。また、空気動圧軸受は、非接触で回転するため、長寿命、低騒音などの利点がある。
【０００４】
空気動圧軸受は、支持ベース部材上に固定された下スラスト板、固定軸受部材、上スラスト板と、回転多面鏡を固定して回転可能な回転軸受部材とにより構成されている。回転多面鏡は、基台上に固定されたマグネットコイルと、回転多面鏡と一体となりロータを構成する磁石とから成る駆動モータにより駆動回転される。
【０００５】
支持ベース部材上に固設した固定軸受部材に対向して回転する回転軸受部材を有するロータユニットは、ラジアル動圧軸受部において相互の間でのラジアル動圧回転が行われる。また、固定軸受部材の両軸端部には、固定軸受部材の軸と垂直面をなすスラスト板が固定されていて、上下に位置した上スラスト板と下スラスト板に挟まれた形で回転する回転軸受部材は、上下のスラスト動圧軸受部においてスラスト動圧回転が行われる。
【０００６】
マグネットコイルと磁石とから成る駆動モータによるロータの回転時には、ロータは動圧軸受に触れることなく、空中に浮き上がった非接触状態で、円滑な高速回転が持続される。
【０００７】
ロータの回転に伴って回転多面鏡も回転し、半導体レーザから射出されたレーザビームは感光体に向けて偏向走査する。
【０００８】
回転多面鏡の周辺の空気流を整流して回転を安定化し、回転多面鏡の回転に伴う騒音を低下させるとともに発生する騒音を低減させる公知技術としては、特許文献１、特許文献２、特許文献３、特許文献４等に開示されている。
【０００９】
特許文献１に記載の光偏向器は、回転多面鏡の回転空間を回転多面鏡の回転中心と一致する中心を有する円筒形状に形成したものである。
【００１０】
特許文献２に記載の光偏向器は、回転多面鏡を覆う保護ケースの内部に複数のセグメント内壁を設け、回転多面鏡とセグメント内壁との間に複数の空気流路を形成し、これらの空気流路に流れる圧力変動に伴う空気流が相互に干渉して圧力変動を減衰するものである。
【００１１】
特許文献３に記載の光偏向器は、回転多面鏡の光反射面と対向するケースの内周面を回転体の回転中心軸と同軸の円筒状に形成するとともに、開口部をケースの円筒状の内周面所定箇所に形成し、回転体の回転中心軸方向の開口部の長さを回転多面鏡の板厚に対して＋１ｍｍ以下に設定するものである。
【００１２】
特許文献４に記載の光偏向器は、ケースの開口部近傍の内周壁に突起を設ける事により、回転多面鏡が同位相で圧力変動しない構成にしたものである。
【特許文献１】特開平８−５９４７号公報
【特許文献２】特開２００１−２４９２９８号公報
【特許文献３】特開平７−３０６３７３号公報
【特許文献４】特開平１０−２２１６３０号公報
【発明の開示】
【発明が解決しようとする課題】
【００１３】
従来の光偏向器においては、回転多面鏡を含む回転体を空気動圧軸受により高速回転させると、負荷となる風損が大きいため、回転が不安定となり、ジッタ特性が悪化するという問題がある。
【００１４】
また、回転多面鏡の等速回転時の速度ムラを解消するため、回転多面鏡を含む回転体の質量を増して慣性力を増大させると、光偏向器の起動特性が低下する。
【００１５】
更に、回転多面鏡を収容する保護ケースと、回転多面鏡の外周面の回転軌跡との距離が不均一なため、回転多面鏡が１回転する間に、空気抵抗の変化により、回転多面鏡の回転が不安定になり、ジッタ特性が悪化するという問題がある。
【００１６】
特許文献１に記載された光偏向器では、防音ガラス近傍において大きな圧力変動を発生するために、騒音に対する効果が無いことが明らかである。
【００１７】
特許文献２に記載された光偏向器では、圧力変動に関してはむしろ助長する効果が発生し、広帯域騒音を生成するとともに、空間を拡げるためにトルクが増大する事は明らかである。
【００１８】
特許文献３に記載された光偏向器では、空間を必要最低限にするという意味でトルク低減に寄与するが、乱流を抑制するという効果は認められない。
【００１９】
特許文献４に記載された光偏向器では、ポンプなどで用いられる手法で、ファンなどにも用いられている技術であり、「回転多面鏡の面数×回転数」の周波数卓越音を低減するものである。
【００２０】
上述の特許文献では、回転体の高速回転時の回転トルクの低減と騒音の低減技術が記載されているが、本発明は、これらと異なる全く別のアプローチで著しい遮音効果を発揮するものである。
【００２１】
即ち、本発明は、光偏向器における上記の問題点を解消するものであり、遮音ケ−スを光走査装置内であって、光偏向器以降に位置するレンズ（ｆθレンズ、もしくは、シリンｆドリカルレンズ）をその一部とする構成とする。この構成によって、光偏向器を完全に覆う事により、高速回転する回転多面鏡を音源とする騒音による騒音が外部に漏出する事を防止する遮音性能の高い光走査装置を提供することを目的とするものである。
【課題を解決するための手段】
【００２２】
請求項１に記載の発明は、
光走査装置であって、
投射された光ビームを反射する、回転可能な回転多面鏡を有する光偏向器と、
前記回転多面鏡の光反射面で反射した光ビームを透過させるｆθレンズと、
前記ｆθレンズを透過した光ビームを透過させるシリンドリカルレンズと、
前記ｆθレンズを透過した光ビームを通過可能にする開口部を有するｆθレンズ用遮音ケースと、を有し、
前記ｆθレンズ用遮音ケースの開口部を前記ｆθレンズにより密閉状態に保持し、前記光偏向器を密閉状態に収容したことを特徴とする光走査装置である。
【００２３】
請求項５に記載の発明は、
光走査装置であって、
投射された光ビームを反射し、回転可能な回転多面鏡を有する偏向器と、
前記回転多面鏡の光反射面で反射した光ビームを透過させるｆθレンズと、
前記ｆθレンズを透過する光ビームを透過させるシリンドリカルレンズと、
前記ｆθレンズを透過する光ビームを通過可能にする開口部を有するｆθレンズ用遮音ケースと、
前記シリンドリカルレンズを透過する光ビームを通過可能にする開口部を有するシリンドリカルレンズ用遮音ケースと、を有し、
前記ｆθレンズ用遮音ケースの開口部を前記ｆθレンズにより密閉状態に保持し、前記第２の遮音ケースの開口部を前記シリンドリカルレンズにより密閉状態に保持し、前記光偏向器を２重の密閉状態に収容したことを特徴とする光走査装置である。
【００２４】
請求項９に記載の発明は、
光走査装置であって、
投射された光ビームを反射する、回転可能な回転多面鏡を有する偏向器と、
前記回転多面鏡の光反射面で反射した光ビームを透過させるｆθレンズと、
前記ｆθレンズを透過した光ビームを透過させるシリンドリカルレンズと、
前記光学系を透過する光ビームを通過可能にする開口部を有するシリンドリカルレンズ用遮音ケースと、を有し、
前記シリンドリカルレンズ用遮音ケースの開口部を前記シリンドリカルレンズにより密閉状態に保持し、前記光偏向器を密閉状態に収容したことを特徴とする光走査装置である。
【発明の効果】
【００２５】
請求項１に記載の光走査装置により、回転多面鏡を含む回転体の高速回転時に発生する騒音が、光偏向器を密閉状態に収容するｆθレンズ用遮音ケースとｆθレンズ用遮音ケースの開口部に装着されるｆθレンズとにより遮断されて外部に漏出する事が防止されるから、光走査装置の静音化が達成される。
【００２６】
請求項５に記載の光走査装置により、回転多面鏡を含む回転体の高速回転時に発生する騒音が、ｆθレンズ用遮音ケースとシリンドリカルレンズ用遮音ケースとの二重密閉構造にしたことにより遮断されて外部に漏出する事が防止されるから、光走査装置の静音化が達成される。
【００２７】
請求項９に記載の光走査装置によれば、回転多面鏡を含む回転体の高速回転時に発生する騒音がシリンドリカルレンズ用遮音ケースと、このケースの開口部に装着されるシリンドリカルレンズとにより遮音され、光走査装置の静音化が達成される。
【発明を実施するための最良の形態】
【００２８】
［光走査装置］
本発明の光偏向器を備えた光走査装置の実施の形態を図面に基づいて説明する。
【００２９】
レーザプリンタ等の画像形成装置においては、その画像の書き込み手段としての光走査装置を有し、読み取った情報を基にレーザビームを光偏向器の高速回転する回転多面鏡に入光させ、反射光を走査させて像担持体の感光体面に投影して画像記録を行う。
【００３０】
図１は、ケースの上部を外した状態の光走査装置１０の一実施の形態を示す斜視図である。
【００３１】
図１において、１１は光走査装置本体、１２はｆθレンズ、１３はシリンドリカルレンズ、１４はカバーガラス、１５は半導体レーザ、１６はコリメートレンズ、１７は第１シリンドリカルレンズ、１８はタイミング検出用のインデックスミラー、１９は同期検知用のインデックスセンサ、２０は回転多面鏡２１等から成る光偏向器である。
【００３２】
上記の光偏向器２０、及び走査光学系光学部材１２〜１９は、光走査装置本体１１内の所定位置に配置、固定されている。
【００３３】
半導体レーザ１５から射出した光ビームＬは、コリメートレンズ１６により平行光になり、次いで第１結像光学系の球面レンズ１７を透過して回転多面鏡２１に入射する。回転多面鏡２１の反射光は、ｆθレンズ１２、シリンドリカルレンズ１３から成る第２結像光学系を透過し、カバーガラス１４を通過して像担持体１の周面上に、所定のスポット径で、副走査方向に所定ピッチずれた状態で走査する。なお、主走査方向は図示しない調整機構により、既に微調整してある。１ライン毎の同期検知は、走査開始前の光束をインデックスミラー１８を介して、インデックスセンサ１９に入射させる。
【００３４】
回転多面鏡２１を回転体として高速回転する光偏向器２０では、回転体（ロータユニット）と非回転体（ステータユニット）との間に空気動圧軸受を設けて、回転体が高速回転される。
【００３５】
３４は、ｆθレンズ用遮音ケースで、回転多面鏡２１を収容し、その開口をｆθレンズ１２で密閉されている。また、３５は、本体遮音ケースで、回転多面鏡２１、ｆθレンズ１２、シリンドリカルレンズ１３等の全体を収容し、その開口を透明防振部材の１例である、カバ−ガラス１４で密閉している。なお、本図では、ケース３４，３５の上部を取り外した状態を示す。
【００３６】
なお、密閉ケースは、例えば、弁当箱状とし、図１では、図示していない本体ケースでかぶせることにより密閉される。他、密閉でき、遮音の機能を有する構成で有ればよい。
【００３７】
［光偏向器］
図２（ａ）は光偏向器２０の平面図、図２（ｂ）は光偏向器２０の断面図である。
【００３８】
光偏向器２０は、ロータユニットとステータユニットとから構成されている。
【００３９】
光偏向器２０の高速回転を行うユニットであるロータユニットは、回転多面鏡２１、回転軸を中心とした円筒状の回転軸受部材（以下、外筒部材と称す）２２、外筒部材２２の外周面を固定し回転多面鏡２１の内周面に嵌合する回転多面鏡保持部材２３、回転駆動用の磁石２４、ロータヨーク２４Ａから成る。
【００４０】
外筒部材２２の内径は、ステータユニットの固定軸受部材（以下、内筒部材と称す）２６の外径より、数μｍの調整された微小間隔だけ大きい。この外筒部材２２の内周面と内筒部材２６の外周面とで、ラジアル動圧軸受部を構成している。この外筒部材２２は、アルミナ、窒化珪素等のセラミックにより成形されていることが、安定した回転を得る上で好ましい。
【００４１】
また、外筒部材２２の上端面は、上スラスト板２７のスラスト面と対向し、上スラスト動圧軸受部を構成している。同じく外筒部材２２の下端面は下スラスト板２８のスラスト面と対向し、下スラスト動圧軸受部を構成している。
【００４２】
対向したスラスト動圧軸受部のスラスト面には、動圧発生溝が形成されている。ロータユニットは本体固定部に対しスラスト動圧軸受部においてスラスト回転が行われる。
【００４３】
回転多面鏡保持部材２３と回転多面鏡２１とは、等しい熱膨張係数を有する同じ材料、例えばアルミニウム合金により形成されている。
【００４４】
支持基体２５に直立した円柱形状のラジアル軸部２５ａの外側には、円筒形状をした内筒部材２６が固設され、ラジアル軸部と内筒部材２６とでラジアル固定部材を構成している。内筒部材２６はアルミナ、窒化珪素等のセラミック材料で形成される。
【００４５】
内筒部材２６の上下端部には、支持基体２５のラジアル軸部２５ａのほぼ垂直方向に、円板状をした上スラスト板２７と、下スラスト板２８とが固設され、スラスト固定部材を構成している。上スラスト板２７と下スラスト板２８は、アルミナ、窒化珪素等のセラミック材料で形成される。内筒部材２６、上スラスト板２７、下スラスト板２８は、ラジアル軸部２５ａに装着後、ネジ２５Ｓにより固定される。
【００４６】
ベース部材３１の上面には、複数のマグネットコイル２９を同一面上に配置したプリント基板３０が取り付けられている。２９Ａは、マグネットコイル２９に対向するステータヨークである。
【００４７】
支持基体２５、内筒部材２６、上スラスト板２７、下スラスト板２８、マグネットコイル２９、ステータヨーク２９Ａ、プリント基板３０、ベース部材３１は一体となってステータユニットを形成している。
【００４８】
ステータユニットに装着されたロータユニットは、外筒部材２２の回転中心に対して、回転多面鏡２１及び回転多面鏡保持部材２３が正確に回転し、動的バランスが最小限に修正可能である。
【００４９】
［光走査装置の遮音手段］
図３は光走査装置１０の遮音手段の第１の実施の形態を示し、図３（ａ）は平面断面図、図３（ｂ）は正面断面図である。
光偏向器２０と、半導体レーザ１５、コリメートレンズ１６、第１シリンドリカルレンズ１７から成る入射光学系とは、音響密閉されたｆθレンズ用遮音ケース３４内に配置されている。ｆθレンズ用遮音ケース３４の開口部３４Ａには、感光体上に光走査速度を一定にするためのｆθレンズ１２が取り付けられ、開口部３４Ａを密閉している。この構成により、光偏向器２０と入射光学系とは、ｆθレンズ用遮音ケース３４内に密閉状態に収容され、光偏向器２０の回転多面鏡２１の高速回転により発生する騒音はほぼ遮音される。
【００５０】
ｆθレンズ用遮音ケース３４の外周には、空間部を隔てて本体遮音ケース３５の壁体が配置されている。本体遮音ケース３５の開口部３５Ａには、回転多面鏡２１のカバーガラス１４が取り付けられ、開口部３５Ａを密閉している。本体遮音ケース３５は、回転多面鏡２１、ｆθレンズ１２、シリンドリカルレンズ１３等の全体を収容し、その開口を透明防振部材の１例である、カバ−ガラス１４で密閉している。
【００５１】
このような構成により、光偏向器２０と入射光学系とはｆθレンズ用遮音ケース３４内に密閉状態に収容され、さらに、本体遮音ケース３５内に密閉状態に収容された二重遮音構成であるから、光偏向器２０の回転多面鏡２１の高速回転により発生する騒音や、ｆθレンズ用遮音ケース３４の振動による騒音等は完全に遮音される。
【００５２】
なお、ｆθレンズ１２、シリンドリカルレンズ１３は、密度の大きい材料、厚みのある部材が振動の減衰効果が大きいから、プラスチックよりガラスの方がその効果が高い。また、遮音の観点より、カバーガラス１４についても同様である。
【００５３】
図４は光走査装置１０の遮音手段の第２の実施の形態を示し、図４（ａ）は平面断面図、図４（ｂ）は正面断面図である。
【００５４】
光偏向器２０を収容する保護ケース（第３の遮音ケース）３２内には、回転多面鏡２１を回転自在に収容する回転空間３２Ａが形成されている。回転空間３２Ａは回転多面鏡２１の回転中心とほぼ一致する中心を有するほぼ円筒形状に形成されている。
【００５５】
保護ケース３２には、回転多面鏡２１に対してレーザビームを入射、出射させる開口部３２Ｂが穿設されている。開口部３２Ｂには防音ガラス３３が取り付けられている。
【００５６】
光偏向器２０は、保護ケース３２内に密閉状態に収容され、光偏向器２０の回転多面鏡２１の高速回転により発生する騒音はほぼ遮音される。
【００５７】
光偏向器２０を収容する保護ケース３２内には、回転多面鏡２１を回転自在に収容する回転空間３２Ａが形成されている。回転空間３２Ａは回転多面鏡２１の回転中心とほぼ一致する中心を有するほぼ円筒形状に形成されている。
【００５８】
保護ケース３２には、回転多面鏡２１に対してレーザビームを入射、出射させる開口部３２Ｂが穿設されている。開口部３２Ｂには防音ガラス３３が取り付けられている。
【００５９】
光偏向器２０は、保護ケース３２内に密閉状態に収容され、光偏向器２０の回転多面鏡２１の高速回転により発生する騒音はほぼ遮音される。
【００６０】
光偏向器２０を収容する保護ケース３２と、半導体レーザ１５、コリメートレンズ１６、第１シリンドリカルレンズ１７から成る入射光学系とは、ｆθレンズ用遮音ケース３４内に配置されている。ｆθレンズ用遮音ケース３４の開口部３４Ａには、感光体上に光走査速度を一定にするためのｆθレンズが取り付けられ、開口部３４Ａを密閉している。この構成により、光偏向器２０と入射光学系とは、ｆθレンズ用遮音ケース３４内に密閉状態に収容され、光偏向器２０の回転多面鏡２１の高速回転により発生する風切り騒音は更に遮音される。
【００６１】
ｆθレンズ用遮音ケース３４の外周には、空間部を隔ててシリンドリカルレンズ用遮音ケース４０の壁体が配置されている。シリンドリカルレンズ用遮音ケース４０の開口部４０Ａには、回転多面鏡２１の面倒れ補正用のシリンドリカルレンズ１３が取り付けられ、開口部４０Ａを密閉している。
【００６２】
このような構成により、光偏向器２０は保護ケース３２内に密閉状に収容され、保護ケース３２と入射光学系とはｆθレンズ用遮音ケース３４内に密閉状態に収容され、さらにシリンドリカルレンズ用遮音ケース４０内に密閉状態に収容され三重遮音構成であるから、光偏向器２０の回転多面鏡２１の高速回転により発生する風切り騒音や、ｆθレンズ用遮音ケース３４の振動による騒音等は完全に遮音される。
【００６３】
図５は光走査装置１０の遮音手段の第３の実施の形態を示す正面断面図である。なお、図５に使用されている符号について、図４と同じ機能を有する部分には、同符号を付している。また、前記第２の実施の形態と異なる点を説明する。
【００６４】
光走査装置１０は、保護ケース３２、ｆθレンズ用遮音ケース３４、シリンドリカルレンズ用遮音ケース４０の三重遮音構成をなす。ｆθレンズ用遮音ケース３４の内側の天井部には、遮音部材３６が取り付けられている。遮音部材３６は発泡弾性部材により形成され、保護ケース３２から漏出する騒音や、ｆθレンズ用遮音ケース３４の振動等を吸収する。
【００６５】
回転多面鏡２１を含む回転体の回転数が大になると、回転多面鏡２１の回転に伴って発生する風切り騒音は回転数の６乗に比例し、回転数×回転多面鏡２１の面数の周波数成分音や、モータの励磁周波数音が顕著に表れるが、遮音ケースを二重、又は三重に構成する事によって、光走査装置１０が完全に遮音され、外部への騒音漏出が防止され、静音化が達成される。
【００６６】
図６（ａ）は光走査装置１０の他の実施の形態を示す平面断面図である。
【００６７】
光偏向器２０と入射光学系とは、ｆθレンズ１２を透過する光ビームＬを通過可能にする開口部３４Ａを有するｆθレンズ用遮音ケース３４内に収容され、ｆθレンズ用遮音ケース３４の開口部３４Ａはｆθレンズ１２により密閉されている。光偏向器２０の回転多面鏡２１の高速回転により発生する騒音等は完全に遮音される。４１は、シリンドリカルレンズ１３を含むケースである。
【００６８】
図６（ｂ）は光走査装置１０の更に他の実施の形態を示す平面断面図である。
【００６９】
光偏向器２０と入射光学系とｆθレンズ１２とは、シリンドリカルレンズ１３を透過する光ビームＬを通過可能にする開口部３５Ａを有する本体遮音ケース３５内に収容され、シリンドリカルレンズ用遮音ケース４０の開口部４０Ａはシリンドリカルレンズ１３により密閉されている。光偏向器２０の回転多面鏡２１の高速回転により発生する騒音等は完全に遮音される。
【００７０】
なお、図６に示す光偏向器２０を、図４に示す保護ケース３２及び防音ガラス３３内に収容して、更にｆθレンズ用遮音ケース３４内、又は本体遮音ケース３５内に収容して二重の遮音構成にする事が好ましい。
【００７１】
図７（ａ）（ｂ）は、光走査装置１０の更に他の実施形態を示す平面断面図、及び正面断面図である。本実施の形態に置いては、保護ケース３２、ｆθレンズ用遮音ケース３４、本体遮音ケース３５の３重の遮音構造としている。そして、ｆθレンズ１２を有効に活用することで、全体構造をコンパクトとし、かつ、遮音性に優れた走査装置としている。
【００７２】
以上、説明したように、本発明の光走査装置により、回転多面鏡の高速回転により発生される騒音、ケースの振動による騒音等が確実に遮音され、静音化が達成される。
【図面の簡単な説明】
【００７３】
【図１】ケースの上部を外した状態の光走査装置の一実施の形態を示す斜視図。
【図２】光偏向器平面図、及び断面図。
【図３】光走査装置の遮音手段の第１の実施の形態を示す平面断面図、及び正面断面図。
【図４】光走査装置の遮音手段の第２の実施の形態を示す平面断面図、及び正面断面図。
【図５】光走査装置の遮音手段の第３の実施の形態を示す正面断面図。
【図６】光走査装置の他の実施の形態を示す平面断面図。
【図７】光走査装置１０の更に他の実施形態を示す平面断面図、及び正面断面図。
【符号の説明】
【００７４】
１０  光走査装置
１１  光走査装置本体
１２  ｆθレンズ
１３  シリンドリカルレンズ
１５  半導体レーザ
２０  光偏向器
２１  回転多面鏡
３２  保護ケース
３３  防音ガラス
３４  ｆθレンズ用遮音ケース
３５  本体遮音ケース
３６  遮音部材
４０  シリンドリカルレンズ用遮音ケ−ス
【図１】
2006018215.tif 000003
【図２】
2006018215.tif 000004
【図３】
2006018215.tif 000005
【図４】
2006018215.tif 000006
【図５】
2006018215.tif 000007
【図６】
2006018215.tif 000008
【図７】
2006018215.tif 000009